(57)【要約】  ワイヤレス通信のための方法、システム、およびデバイスが説明される。いくつかのワイヤレス通信システムは、異なる長さを有する送信時間間隔（ＴＴＩ）中の、基地局とユーザ機器（ＵＥ）との間の通信をサポートし得る。本明細書で説明される技法は、ＵＥが、アップリンク通信（例えば、アップリンク制御情報送信）のために割り振られた短縮されたＴＴＩ（ｓＴＴＩ）中に通信するための適切な構成を利用することを可能にする。一例では、ＵＥは、ｓＴＴＩの長さに基づいて、またはｓＴＴＩにおいてアップリンク制御情報を送信するために割り振られたシンボルの数に基づいて、ｓＴＴＩ中にアップリンク制御情報を送信するために使用すべき送信電力を調整し得る。別の例では、ＵＥは、ｓＴＴＩの一部分が別の送信（例えば、サウンディング基準信号（ＳＲＳ）送信）のために割り振られているかどうかに基づいて、ｓＴＴＩ中にアップリンク制御情報を送信するために使用すべき周波数ホッピングパターンを決定し得る。【選択図】図２
2020522168.tif 000002
【特許請求の範囲】
【請求項１】
複数の送信時間間隔（ＴＴＩ）長をサポートするシステムにおけるワイヤレス通信のための方法であって、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を備える、方法。
【請求項２】
前記送信電力を調整することは、
前記ＴＴＩの各シンボル中にアップリンク制御情報を送信するために、同じ送信電力を使用すること
を備える、請求項１に記載の方法。
【請求項３】
前記ＴＴＩは、３つのシンボルを備える、請求項１に記載の方法。
【請求項４】
前記調整された送信電力は、２つのシンボルを備えるＴＴＩ中にアップリンク制御情報を送信するために使用されるものと同じ送信電力を備える、請求項３に記載の方法。
【請求項５】
前記ＴＴＩの１つのシンボルがサウンディング基準信号（ＳＲＳ）送信のために割り振られていることを決定すること
をさらに備える、請求項３に記載の方法。
【請求項６】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用すること、
ここにおいて、前記第１の送信電力と前記第２の送信電力は、同じである、
をさらに備える、請求項５に記載の方法。
【請求項７】
前記ＴＴＩの各シンボル中にアップリンク制御情報を送信するための前記送信電力のインジケーションを受信すること、ここにおいて、前記第１の送信電力および前記第２の送信電力は、前記インジケーションに少なくとも部分的に基づいて調整される、
をさらに備える、請求項６に記載の方法。
【請求項８】
前記インジケーションは、電力オフセットパラメータを備える、請求項７に記載の方法。
【請求項９】
前記ＴＴＩのいずれの前記シンボルも、サウンディング基準信号（ＳＲＳ）送信のために割り振られていないことを決定すること
をさらに備える、請求項３に記載の方法。
【請求項１０】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用し、前記ＴＴＩの第３のシンボル中に前記アップリンク制御情報を送信するために第３の送信電力を使用すること、
ここにおいて、前記第１の送信電力、前記第２の送信電力、および前記第３の送信電力の各々は、前記ＴＴＩ中に前記アップリンク制御情報を送信するための前記調整された送信電力の一部分を備える、
をさらに備える、請求項９に記載の方法。
【請求項１１】
前記ＴＴＩの各シンボル中にアップリンク制御情報を送信するための前記送信電力のインジケーションを受信すること、ここにおいて、前記第１の送信電力、前記第２の送信電力、および前記第３の送信電力は、前記インジケーションに少なくとも部分的に基づいて調整される、
をさらに備える、請求項１０に記載の方法。
【請求項１２】
前記インジケーションは、電力オフセットパラメータを備える、請求項１１に記載の方法。
【請求項１３】
前記制御領域は、前記ＴＴＩの１つのシンボルにまたがる、請求項１に記載の方法。
【請求項１４】
前記調整された送信電力は、２つのシンボルを備えるＴＴＩの各シンボル中にアップリンク制御情報を送信するために使用されるものと同じ送信電力である、請求項１３に記載の方法。
【請求項１５】
前記調整された送信電力は、２つのシンボルを備えるＴＴＩの各シンボル中にアップリンク制御情報を送信するために使用される送信電力よりも大きい、請求項１３に記載の方法。
【請求項１６】
前記ＴＴＩ中にアップリンク制御情報を送信するための前記送信電力のインジケーションを受信すること、ここにおいて、前記送信電力は、前記インジケーションに少なくとも部分的に基づいて調整される、
をさらに備える、請求項１３に記載の方法。
【請求項１７】
前記インジケーションは、電力オフセットパラメータを備える、請求項１６に記載の方法。
【請求項１８】
アップリンク通信ために割り振られた前記ＴＴＩの前記長さは、前記ＴＴＩのインデックスまたは前記ＴＴＩに関連付けられたサービスのタイプに少なくとも部分的に基づいて決定される、請求項１に記載の方法。
【請求項１９】
ワイヤレス通信のための方法であって、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を備える、方法。
【請求項２０】
前記ＴＴＩの１つのシンボルが、前記ＳＲＳ送信のために割り振られ、前記ＴＴＩは、３つのシンボルを備える、請求項１９に記載の方法。
【請求項２１】
前記識別された周波数ホッピングパターンに少なくとも部分的に基づいて、前記アップリンク制御情報を送信することは、
前記ＴＴＩの第１のシンボル中に、システム帯域幅の第１の周波数領域上でアップリンク制御情報を送信することと、
前記ＴＴＩの第２のシンボル中に、前記システム帯域幅の第２の周波数領域上でアップリンク制御情報を送信することと
を備える、請求項２０に記載の方法。
【請求項２２】
複数の送信時間間隔（ＴＴＩ）長をサポートするシステムにおけるワイヤレス通信のための装置であって、
プロセッサと、
前記プロセッサと電子通信状態にあるメモリと、
前記メモリに記憶され、かつ前記プロセッサによって実行されると、前記装置に、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を行わせるように動作可能な命令と
を備える装置。
【請求項２３】
ワイヤレス通信のための装置であって、
プロセッサと、
前記プロセッサと電子通信状態にあるメモリと、
前記メモリに記憶され、かつ前記プロセッサによって実行されると、前記装置に、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を行わせるように動作可能な命令と
を備える装置。
【請求項２４】
複数の送信時間間隔（ＴＴＩ）長をサポートするシステムにおけるワイヤレス通信のための装置であって、
アップリンク通信のために割り振られたＴＴＩの制御領域を識別するための手段と、
アップリンク通信のために割り振られた前記ＴＴＩの長さを決定するための手段と、
前記ＴＴＩの前記長さに少なくとも部分的に基づいて、前記ＴＴＩの前記制御領域でアップリンク制御情報を送信するための送信電力を調整するための手段と、
前記調整された送信電力を使用して、前記ＴＴＩの前記制御領域で前記アップリンク制御情報を送信するための手段と
を備える装置。
【請求項２５】
前記ＴＴＩの各シンボル中にアップリンク制御情報を送信するために、同じ送信電力を使用するための手段
をさらに備える、請求項２４に記載の装置。
【請求項２６】
前記ＴＴＩは、３つのシンボルを備える、請求項２４に記載の装置。
【請求項２７】
前記調整された送信電力は、２つのシンボルを備えるＴＴＩ中にアップリンク制御情報を送信するために使用されるものと同じ送信電力を備える、請求項２６に記載の装置。
【請求項２８】
前記ＴＴＩの１つのシンボルがサウンディング基準信号（ＳＲＳ）送信のために割り振られていることを決定するための手段
をさらに備える、請求項２６に記載の装置。
【請求項２９】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用するための手段、
ここにおいて、前記第１の送信電力と前記第２の送信電力は、同じである、
をさらに備える、請求項２８に記載の装置。
【請求項３０】
前記ＴＴＩの各シンボル中にアップリンク制御情報を送信するための前記送信電力のインジケーションを受信するための手段、ここにおいて、前記第１の送信電力および前記第２の送信電力は、前記インジケーションに少なくとも部分的に基づいて調整される、
をさらに備える、請求項２９に記載の装置。
【請求項３１】
前記インジケーションは、電力オフセットパラメータを備える、請求項３０に記載の装置。
【請求項３２】
前記ＴＴＩのいずれの前記シンボルも、サウンディング基準信号（ＳＲＳ）送信のために割り振られていないことを決定するための手段
をさらに備える、請求項２６に記載の装置。
【請求項３３】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用し、前記ＴＴＩの第３のシンボル中に前記アップリンク制御情報を送信するために第３の送信電力を使用するための手段、
ここにおいて、前記第１の送信電力、前記第２の送信電力、および前記第３の送信電力の各々は、前記ＴＴＩ中に前記アップリンク制御情報を送信するための前記調整された送信電力の一部分を備える、
をさらに備える、請求項３２に記載の装置。
【請求項３４】
前記ＴＴＩの各シンボル中にアップリンク制御情報を送信するための前記送信電力のインジケーションを受信するための手段、ここにおいて、前記第１の送信電力、前記第２の送信電力、および前記第３の送信電力は、前記インジケーションに少なくとも部分的に基づいて調整される、
をさらに備える、請求項３３に記載の装置。
【請求項３５】
前記インジケーションは、電力オフセットパラメータを備える、請求項３４に記載の装置。
【請求項３６】
前記制御領域は、前記ＴＴＩの１つのシンボルにまたがる、請求項２４に記載の装置。
【請求項３７】
前記調整された送信電力は、２つのシンボルを備えるＴＴＩの各シンボル中にアップリンク制御情報を送信するために使用されるものと同じ送信電力である、請求項３６に記載の装置。
【請求項３８】
前記調整された送信電力は、２つのシンボルを備えるＴＴＩの各シンボル中にアップリンク制御情報を送信するために使用される送信電力よりも大きい、請求項３６に記載の装置。
【請求項３９】
前記ＴＴＩ中にアップリンク制御情報を送信するための前記送信電力のインジケーションを受信するための手段、ここにおいて、前記送信電力は、前記インジケーションに少なくとも部分的に基づいて調整される、
をさらに備える、請求項３６に記載の装置。
【請求項４０】
前記インジケーションは、電力オフセットパラメータを備える、請求項３９に記載の装置。
【請求項４１】
アップリンク通信ために割り振られた前記ＴＴＩの前記長さは、前記ＴＴＩのインデックスまたは前記ＴＴＩに関連付けられたサービスのタイプに少なくとも部分的に基づいて決定される、請求項２４に記載の装置。
【請求項４２】
ワイヤレス通信のための装置であって、
アップリンク通信のために割り振られた送信時間間隔（ＴＴＩ）の制御領域を識別するための手段と、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別するための手段と、
前記識別された周波数ホッピングパターンに少なくとも部分的に基づいて、前記ＴＴＩの前記制御領域で前記アップリンク制御情報を送信するための手段と
を備える装置。
【請求項４３】
前記ＴＴＩの１つのシンボルが、前記ＳＲＳ送信のために割り振られ、前記ＴＴＩは、３つのシンボルを備える、請求項４２に記載の装置。
【請求項４４】
前記ＴＴＩの第１のシンボル中に、システム帯域幅の第１の周波数領域上でアップリンク制御情報を送信するための手段と、
前記ＴＴＩの第２のシンボル中に、前記システム帯域幅の第２の周波数領域上でアップリンク制御情報を送信するための手段と
をさらに備える、請求項４３に記載の装置。
【請求項４５】
複数の送信時間間隔（ＴＴＩ）長をサポートするシステムにおけるワイヤレス通信のためのコードを記憶した非一時的なコンピュータ可読媒体であって、前記コードは、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を行うようにプロセッサによって実行可能な命令を備える、非一時的なコンピュータ可読媒体。
【請求項４６】
ワイヤレス通信のためのコードを記憶した非一時的なコンピュータ可読媒体であって、前記コードは、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を行うようにプロセッサによって実行可能な命令を備える、非一時的なコンピュータ可読媒体。
【発明の詳細な説明】
【相互参照】
【０００１】
[0001]本特許出願は、２０１８年５月２４日に出願された「Transmit Power and Frequency Hopping Configurations for Control Information Transmissions」と題する、Hosseini他による米国特許出願第１５／９８８，１４４号、および２０１７年５月２６日に出願された「Transmit Power and Frequency Hopping Configurations For Control Information Transmissions」と題する、Hosseini他による米国仮特許出願第６２／５１１，９２１号の利益を主張し、これらの各々は、本譲受人に譲渡される。
【背景技術】
【０００２】
[0002]以下は、一般にワイヤレス通信に関し、より具体的には、制御情報送信のための送信電力および周波数ホッピングの構成に関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム、または新無線（ＮＲ：New Radio）システム）を含む。
【０００４】
[0004]ワイヤレス多元接続通信システムは、いくつかの基地局またはアクセスネットワークノードを含み得、各々が、別名ユーザ機器（ＵＥ）として知られ得る複数の通信デバイスのための通信を同時にサポートする。いくつかのワイヤレス通信システムでは、基地局およびＵＥは、異なる長さを有する送信時間間隔（ＴＴＩ）中に通信し得る。例えば、基地局およびＵＥは、２つのシンボルにまたがる（spanning）短縮されたＴＴＩ（ｓＴＴＩ：shortened TTIs）および３つのシンボルにまたがるｓＴＴＩ中に通信し得る。このような例では、これらのリソース上での効率的な通信のためにＵＥを構成することは、基地局にとって困難であり得る。
【発明の概要】
【０００５】
[0005]いくつかのワイヤレス通信システムは、異なる長さを有する送信時間間隔（ＴＴＩ）中の、基地局とユーザ機器（ＵＥ）との間の通信をサポートし得る。本明細書で説明される技法は、ＵＥが、アップリンク通信（例えば、アップリンク制御情報送信）のために割り振られた特定の長さの短縮されたＴＴＩ（ｓＴＴＩ）中に通信するための適切な構成を利用することを可能にする。一例では、ＵＥは、ｓＴＴＩの長さに基づいて、またはｓＴＴＩにおいて制御チャネルのために割り振られたシンボルの数に基づいて、ｓＴＴＩ中にアップリンク制御情報を送信するために使用すべき送信電力を調整し得る。別の例では、ＵＥは、ｓＴＴＩの一部分が別の送信（例えば、サウンディング基準信号（ＳＲＳ）送信）のために割り振られているかどうかに基づいて、ｓＴＴＩ中にアップリンク制御情報を送信するために使用すべき周波数ホッピングパターンを決定し得る。
【０００６】
[0006]複数のＴＴＩ長をサポートするシステムにおけるワイヤレス通信のための方法が説明される。方法は、アップリンク通信のために割り振られたＴＴＩの制御領域を識別することと、アップリンク通信ために割り振られたＴＴＩの長さを決定することと、ＴＴＩの長さに少なくとも部分的に基づいて、ＴＴＩの制御領域でアップリンク制御情報を送信するための送信電力を調整することと、調整された送信電力を使用して、ＴＴＩの制御領域でアップリンク制御情報を送信することと、を含み得る。
【０００７】
[0007]複数のＴＴＩ長をサポートするシステムにおけるワイヤレス通信のための装置が説明される。装置は、アップリンク通信のために割り振られたＴＴＩの制御領域を識別するための手段と、アップリンク通信ために割り振られたＴＴＩの長さを決定するための手段と、ＴＴＩの長さに少なくとも部分的に基づいて、ＴＴＩの制御領域でアップリンク制御情報を送信するための送信電力を調整するための手段と、調整された送信電力を使用して、ＴＴＩの制御領域でアップリンク制御情報を送信するための手段と、を含み得る。
【０００８】
[0008]複数のＴＴＩ長をサポートするシステムにおけるワイヤレス通信のための別の装置が説明される。装置は、プロセッサと、プロセッサと電子通信状態にあるメモリと、メモリに記憶された命令とを含み得る。命令は、プロセッサに、アップリンク通信のために割り振られたＴＴＩの制御領域を識別することと、アップリンク通信ために割り振られたＴＴＩの長さを決定することと、ＴＴＩの長さに少なくとも部分的に基づいて、ＴＴＩの制御領域でアップリンク制御情報を送信するための送信電力を調整することと、調整された送信電力を使用して、ＴＴＩの制御領域でアップリンク制御情報を送信することと、を行わせるように動作可能であり得る。
【０００９】
[0009]複数のＴＴＩ長をサポートするシステムにおけるワイヤレス通信のための非一時的なコンピュータ可読媒体が説明される。非一時的なコンピュータ可読媒体は、プロセッサに、アップリンク通信のために割り振られたＴＴＩの制御領域を識別することと、アップリンク通信ために割り振られたＴＴＩの長さを決定することと、ＴＴＩの長さに少なくとも部分的に基づいて、ＴＴＩの制御領域でアップリンク制御情報を送信するための送信電力を調整することと、調整された送信電力を使用して、ＴＴＩの制御領域でアップリンク制御情報を送信することと、を行わせるように動作可能な命令を含み得る。
【００１０】
[0010]上記で説明された方法、装置、および非一時的なコンピュータ可読媒体のいくつかの例では、送信電力を調整することは、ＴＴＩの各シンボル中にアップリンク制御情報を送信するために、同じ送信電力を使用することを含む。上記で説明された方法、装置、および非一時的なコンピュータ可読媒体のいくつかの例では、ＴＴＩは、３つの（３）シンボルを含む。上記で説明された方法、装置、および非一時的なコンピュータ可読媒体のいくつかの例では、調整された送信電力は、２つのシンボルを含むＴＴＩ中にアップリンク制御情報を送信するために使用されるものと同じ送信電力を含む。
【００１１】
[0011]上記で説明された方法、装置、および非一時的なコンピュータ可読媒体のいくつかの例は、ＴＴＩの１つのシンボルがＳＲＳ送信のために割り振られ得ることを決定するためのプロセス、特徴、手段、または命令をさらに含み得る。上記で説明された方法、装置、および非一時的なコンピュータ可読媒体のいくつかの例は、ＴＴＩの第１のシンボル中にアップリンク制御情報を送信するために第１の送信電力を使用し、ＴＴＩの第２のシンボル中にアップリンク制御情報を送信するために第２の送信電力を使用するためのプロセス、特徴、手段、または命令をさらに含み得、ここで、第１の送信電力と第２の送信電力は、同じである（例えば、第１の送信電力および第２の送信電力の各々が、ＴＴＩ中にアップリンク制御情報を送信するための調整された送信電力の２分の１（１／２）を含む）。
【００１２】
[0012]上記で説明された方法、装置、および非一時的なコンピュータ可読媒体のいくつかの例は、ＴＴＩの各シンボル中にアップリンク制御情報を送信するための送信電力のインジケーションを受信するためのプロセス、特徴、手段、または命令をさらに含み得、ここで、第１の送信電力および第２の送信電力は、インジケーションに少なくとも部分的に基づいて調整され得る。上記で説明された方法、装置、および非一時的なコンピュータ可読媒体のいくつかの例では、インジケーションは、電力オフセットパラメータを含む。
【００１３】
[0013]上記で説明された方法、装置、および非一時的なコンピュータ可読媒体のいくつかの例は、ＴＴＩのいずれのシンボルも、ＳＲＳ送信のために割り振られ得ないことを決定するためのプロセス、特徴、手段、または命令をさらに含み得る。上記で説明された方法、装置、および非一時的なコンピュータ可読媒体のいくつかの例は、ＴＴＩの第１のシンボル中にアップリンク制御情報を送信するために第１の送信電力を使用し、ＴＴＩの第２のシンボル中にアップリンク制御情報を送信するために第２の送信電力を使用し、ＴＴＩの第３のシンボル中にアップリンク制御情報を送信するために第３の送信電力を使用するためのプロセス、特徴、手段、または命令をさらに含み得、ここで、第１の送信電力、第２の送信電力、および第３の送信電力の各々は、ＴＴＩ中にアップリンク制御情報を送信するための調整された送信電力の一部分（a fraction）（例えば、各シンボルにおける送信電力が、調整された送信電力をシンボルの数で除算することによって得られるときは、３分の１（１／３））を含む。
【００１４】
[0014]上記で説明された方法、装置、および非一時的なコンピュータ可読媒体のいくつかの例は、ＴＴＩの各シンボル中にアップリンク制御情報を送信するための送信電力のインジケーションを受信するためのプロセス、特徴、手段、または命令をさらに含み得、ここで、第１の送信電力、第２の送信電力、および第３の送信電力は、インジケーションに少なくとも部分的に基づいて調整され得る。上記で説明された方法、装置、および非一時的なコンピュータ可読媒体のいくつかの例では、インジケーションは、電力オフセットパラメータを含む。
【００１５】
[0015]上記で説明された方法、装置、および非一時的なコンピュータ可読媒体のいくつかの例では、制御領域は、ＴＴＩの１つのシンボルにまたがる。上記で説明された方法、装置、および非一時的なコンピュータ可読媒体のいくつかの例では、調整された送信電力は、２つのシンボルを含むＴＴＩの各シンボル中にアップリンク制御情報を送信するために使用されるものと同じ送信電力であり得る。上記で説明された方法、装置、および非一時的なコンピュータ可読媒体のいくつかの例では、調整された送信電力は、２つのシンボルを含むＴＴＩの各シンボル中にアップリンク制御情報を送信するために使用される送信電力よりも大きくなり得る。
【００１６】
[0016]上記で説明された方法、装置、および非一時的なコンピュータ可読媒体のいくつかの例は、ＴＴＩ中にアップリンク制御情報を送信するための送信電力のインジケーションを受信するためのプロセス、特徴、手段、または命令をさらに含み得、ここで、送信電力は、インジケーションに少なくとも部分的に基づいて調整され得る。上記で説明された方法、装置、および非一時的なコンピュータ可読媒体のいくつかの例では、インジケーションは、電力オフセットパラメータを含む。上記で説明された方法、装置、および非一時的なコンピュータ可読媒体のいくつかの例では、アップリンク通信ために割り振られたＴＴＩの長さは、ＴＴＩのインデックスまたはＴＴＩに関連付けられたサービスのタイプに少なくとも部分的に基づいて決定され得る。
【００１７】
[0017]ワイヤレス通信のための方法が説明される。方法は、アップリンク通信のために割り振られたＴＴＩの制御領域を識別することと、ＴＴＩの一部分がＳＲＳ送信のために割り振られているかどうかに少なくとも部分的に基づいて、ＴＴＩの制御領域でアップリンク制御情報を送信するための周波数ホッピングパターンを識別することと、識別された周波数ホッピングパターンに少なくとも部分的に基づいて、ＴＴＩの制御領域でアップリンク制御情報を送信することと、を含み得る。
【００１８】
[0018]ワイヤレス通信のための装置が説明される。装置は、アップリンク通信のために割り振られたＴＴＩの制御領域を識別するための手段と、ＴＴＩの一部分がＳＲＳ送信のために割り振られているかどうかに少なくとも部分的に基づいて、ＴＴＩの制御領域でアップリンク制御情報を送信するための周波数ホッピングパターンを識別するための手段と、識別された周波数ホッピングパターンに少なくとも部分的に基づいて、ＴＴＩの制御領域でアップリンク制御情報を送信するための手段と、を含み得る。
【００１９】
[0019]ワイヤレス通信のための別の装置が説明される。装置は、プロセッサと、プロセッサと電子通信状態にあるメモリと、メモリに記憶された命令とを含み得る。命令は、プロセッサに、アップリンク通信のために割り振られたＴＴＩの制御領域を識別することと、ＴＴＩの一部分がＳＲＳ送信のために割り振られているかどうかに少なくとも部分的に基づいて、ＴＴＩの制御領域でアップリンク制御情報を送信するための周波数ホッピングパターンを識別することと、識別された周波数ホッピングパターンに少なくとも部分的に基づいて、ＴＴＩの制御領域でアップリンク制御情報を送信することと、を行わせるように動作可能であり得る。
【００２０】
[0020]ワイヤレス通信のための非一時的なコンピュータ可読媒体が説明される。非一時的なコンピュータ可読媒体は、プロセッサに、アップリンク通信のために割り振られたＴＴＩの制御領域を識別することと、ＴＴＩの一部分がＳＲＳ送信のために割り振られているかどうかに少なくとも部分的に基づいて、ＴＴＩの制御領域でアップリンク制御情報を送信するための周波数ホッピングパターンを識別することと、識別された周波数ホッピングパターンに少なくとも部分的に基づいて、ＴＴＩの制御領域でアップリンク制御情報を送信することと、を行わせるように動作可能な命令を含み得る。
【００２１】
[0021]上記で説明された方法、装置、および非一時的なコンピュータ可読媒体のいくつかの例では、ＴＴＩの１つのシンボルがＳＲＳ送信のために割り振られ得、ＴＴＩは、３つの（３）シンボルを含む。上記で説明された方法、装置、および非一時的なコンピュータ可読媒体のいくつかの例では、識別された周波数ホッピングパターンに少なくとも部分的に基づいて、アップリンク制御情報を送信することは、ＴＴＩの第１のシンボル中に、システム帯域幅の第１の周波数領域上でアップリンク制御情報を送信することと、ＴＴＩの第２のシンボル中に、システム帯域幅の第２の周波数領域上でアップリンク制御情報を送信することと、を含む。
【図面の簡単な説明】
【００２２】
【図１】[0022]図１は、本開示の態様による、ワイヤレス通信システムの例を例示する。
【図２】[0022]図２は、本開示の態様による、ワイヤレス通信システムの例を例示する。
【図３】[0023]図３は、本開示の態様による、異なる周波数ホッピング構成を使用する複数のアップリンク送信の例を例示する。
【図４】[0024]図４は、本開示の態様による、デバイスのブロック図を示す。
【図５】[0024]図５は、本開示の態様による、デバイスのブロック図を示す。
【図６】[0025]図６は、本開示の態様による、ユーザ機器（ＵＥ）を含むシステムのブロック図を例示する。
【図７】[0026]図７は、本開示の態様による方法を例示する。
【図８】[0026]図８は、本開示の態様による方法を例示する。
【図９】[0026]図９は、本開示の態様による方法を例示する。
【図１０】[0026]図１０は、本開示の態様による方法を例示する。
【詳細な説明】
【００２３】
[0027]本明細書で説明されるワイヤレス通信システムは、リソースの構造に基づいて、またはリソースの一部分が別の送信（例えば、サウンディング基準信号（ＳＲＳ）送信）のために割り振られているかどうかに基づいて、リソースのセット上で通信するようにユーザ機器（ＵＥ）を構成するための効率的な技法をサポートする。
【００２４】
[0028]いくつかのワイヤレス通信システムは、異なる長さを有する送信時間間隔（ＴＴＩ）（または短縮されたＴＴＩ（ｓＴＴＩ））中の、基地局とＵＥとの間の通信をサポートし得る。例えば、一事例では（in one instance）、ＵＥは、ある長さを有するｓＴＴＩ中にアップリンク制御情報を送信するようにスケジュールされ得、別の事例では、ＵＥは、異なる長さを有するｓＴＴＩ中にアップリンク制御情報を送信するようにスケジュールされ得る。いくつかのシステムでは、ＵＥは、同じ送信電力構成を使用して、異なる長さを有するＴＴＩにおいてアップリンク制御情報を送信し得る。さらに、ＵＥは、ＴＴＩの一部分が別の送信（例えば、ＳＲＳ送信）のために割り振られているかどうかにかかわらず、ｓＴＴＩ中にアップリンク制御情報を送信するために、同じ送信電力構成を利用し得る。
【００２５】
[0029]しかしながら、いくつかの態様では、ＵＥが、異なる長さを有するＴＴＩにおいてアップリンク制御情報を送信するために、同じ送信電力構成を使用するように構成されている場合、ＵＥは、不十分な量の電力を使用して、または過剰な電力を使用して、アップリンク制御情報を送信し得る。同様に、ＵＥが、ＴＴＩの一部分が別の送信のために割り振られているかどうかにかかわらず、ＴＴＩにおいてアップリンク制御情報を送信するために、同じ送信電力構成を使用するように構成されている場合、ＵＥは、不十分な量の電力を使用して、または過剰な電力を使用して、アップリンク制御情報を送信し得る。このような態様では、ＵＥがアップリンク制御情報を送信するために十分な電力を使用できない場合、ＵＥから受信されるアップリンク制御情報を復号することは、基地局にとって困難になり得る。代替として、アップリンク制御情報送信に対する過剰な量の電力の使用は、ＵＥのバッテリ寿命に悪影響を及ぼし得る。
【００２６】
[0030]加えて、いくつかのケースでは、ＵＥは、ｓＴＴＩの一部分が別の送信のために割り振られているかどうかにかかわらず、ｓＴＴＩ中のアップリンク制御情報送信のために同じ周波数ホッピング構成を使用し得、これは、ワイヤレス通信システムにおける非効率をもたらし得る。例えば、ＵＥが、３シンボルｓＴＴＩにおける１つのシンボルがＳＲＳ送信のために割り振られているかどうかにかかわらず、そのｓＴＴＩ中にアップリンク制御情報を送信するために、同じ周波数ホッピング構成を使用するように構成されている場合、ＵＥは、残りの２つのシンボル（すなわち、ＳＲＳ送信のために使用されないシンボル）において、システム帯域幅の同じ周波数領域上で送信し得る。すなわち、ＵＥは、残りの２つのシンボル中に異なる周波数領域上で送信することができない（すなわち、周波数ホッピングなし）。したがって、アップリンク制御情報送信は、アップリンク送信におけるダイバーシティの欠如により、より低い信号対干渉プラス雑音比（ＳＩＮＲ）を有し得、結果として、アップリンク制御情報送信が受信される可能性はより低くなり得る。
【００２７】
[0031]本明細書で説明されるように、ワイヤレス通信システムは、リソースの構造と、リソースの一部分が別の送信のために割り振られているかどうかとに基づいて、リソースのセット上でアップリンク制御情報を送信するようにＵＥを構成するための効率的な技法をサポートし得る。一態様では、ＵＥは、ｓＴＴＩの長さに基づいて、および、いくつかの例では、ｓＴＴＩの一部分が別の送信のために割り振られているかどうかに基づいて、ｓＴＴＩ中にアップリンク制御情報を送信するための送信電力構成を決定し得る。別の態様では、ＵＥは、ｓＴＴＩの一部分が別の送信のために割り振られているかどうかに基づいて、ｓＴＴＩ中にアップリンク制御情報を送信するための周波数ホッピングパターンを決定し得る。
【００２８】
[0032]上述された本開示の態様は、ワイヤレス通信システムのコンテキストにおいて以下で説明される。次に、制御情報送信のための送信電力および周波数ホッピングの構成をサポートするプロセスおよびシグナリング交換の例が説明される。本開示の態様はさらに、制御情報送信のための送信電力および周波数ホッピングの構成に関する装置図、システム図、およびフローチャートによって例示され、それらを参照して説明される。
【００２９】
[0033]図１は、本開示の様々な態様による、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、第５世代（５Ｇ）／新無線（ＮＲ：New Radio）またはロングタームエボリューション（ＬＴＥ）（またはＬＴＥ−アドバンスト（ＬＴＥ−Ａ））ネットワークであり得る。いくつかの態様では、ワイヤレス通信システム１００は、拡張ブロードバンド通信、超高信頼性（すなわち、ミッションクリティカル）通信、低レイテンシ通信、および低コストおよび低複雑度のデバイスを用いた通信をサポートし得る。
【００３０】
[0034]基地局１０５は、１つまたは複数の基地局アンテナを介して、ＵＥ１１５とワイヤレスに通信し得る。各基地局１０５は、それぞれの地理的カバレッジエリア１１０に通信カバレッジを提供し得る。ワイヤレス通信システム１００において示される通信リンク１２５は、ＵＥ１１５から基地局１０５へのアップリンク送信、または基地局１０５からＵＥ１１５へのダウンリンク送信を含み得る。制御情報およびデータは、様々な技法に従って、アップリンクチャネルまたはダウンリンクチャネル上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルのＴＴＩ中に送信される制御情報は、カスケード方式で異なる制御領域間で（例えば、共通制御領域と、１つまたは複数のＵＥ固有制御領域との間で）分散され得る。
【００３１】
[0035]ＵＥ１１５は、ワイヤレス通信システム１００全体にわたって分散され得、各ＵＥ１１５は、固定またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、全てのインターネット（ＩｏＥ）デバイス、マシンタイプ通信（ＭＴＣ）デバイス、電気器具、自動車、または同様のものであり得る。
【００３２】
[0036]基地局１０５は、コアネットワーク１３０と、および互いに通信し得る。例えば、基地局１０５は、バックホールリンク１３２（例えば、Ｓ１、等）を通じて、コアネットワーク１３０とインターフェースし得る。基地局１０５は、（例えば、コアネットワーク１３０を通じて）間接的にまたは直接的にのいずれかで、バックホールリンク１３４（例えば、Ｘ２、等）を介して互いに通信し得る。基地局１０５は、ＵＥ１１５との通信のために無線構成およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５は、発展型ノードＢ（ｅＮＢ）またはｇＮＢ１０５とも呼ばれ得る。
【００３３】
[0037]ＬＴＥまたはＮＲにおける時間間隔は、基本時間単位（これは、Ｔｓ＝１／３０，７２０，０００秒のサンプリング期間であり得る）の倍数で表され得る。時間リソースは、１０ｍｓ（Ｔｆ＝３０７２００Ｔｓ）の長さの無線フレームに従って編成され得、これは、０から１０２３までの範囲にわたるシステムフレーム番号（ＳＦＮ）によって識別され得る。各フレームは、０から９までの番号が付けられた１０個の１ｍｓサブフレームを含み得る。サブフレームは、２つの０．５ｍｓスロットにさらに分割され得、その各々は、（各シンボルの先頭に追加されたサイクリックプレフィックスの長さに依存して）６つまたは７つの変調シンボル期間を含む。サイクリックプレフィックスを除き、各シンボルは、２０４８個のサンプル期間を含む。本明細書で説明されるシンボルは、直交周波数分割多重化（ＯＦＤＭ）シンボル、シングルキャリア周波数分割多重化（ＳＣ−ＦＤＭ）シンボル、離散フーリエ変換拡散ＯＦＤＭ（ＤＦＴ−ｓ−ＯＦＤＭ）シンボル、等に対応し得る。
【００３４】
[0038]ワイヤレス通信システム１００では、ＴＴＩは、基地局１０５がアップリンクまたはダウンリンク送信のためにＵＥ１１５をスケジュールし得る時間の最小単位として定義され得る。例として、基地局１０５は、ＵＥ１１５とのダウンリンク通信のために、１つまたは複数のＴＴＩを割り振り得る。その後、ＵＥ１１５は、基地局１０５からのダウンリンク信号を受信するために、この１つまたは複数のＴＴＩを監視し得る。いくつかのワイヤレス通信システム（例えば、ＬＴＥシステムまたはＮＲシステム）では、サブフレームが、スケジューリングまたはＴＴＩの基本単位になり得る。他の態様、例えば、低レイテンシ動作などでは、異なる低減された持続時間のＴＴＩ（例えば、ｓＴＴＩ）が使用され得る（例えば、ミニスロット）。ワイヤレス通信システム１００は、ＬＴＥおよびＮＲに関連付けられた他のタイプの通信に加えて、低レイテンシおよびモバイルブロードバンド（ＭＢＢ）通信を促進するそれらを含む、様々なＴＴＩ持続時間を用い得る。
【００３５】
[0039]いくつかの例では、サブフレームは、６つのｓＴＴＩを含み得るとともに、サブフレームにおける最初および最後のｓＴＴＩが、３つのシンボルにまたがり、他のｓＴＴＩが、２つのシンボルにまたがる。したがって、短縮された物理アップリンク共有チャネル（ｓＰＵＳＣＨ）または短縮された物理アップリンク制御チャネル（ｓＰＵＣＣＨ）がまたがるシンボルの数は、ｓＴＴＩの長さに基づき得る。一例では、復調基準信号（ＤＭＲＳ）なしのシーケンスベースのｓＰＵＣＣＨを伴うｓＰＵＣＣＨフォーマットが、２シンボルｓＴＴＩおよび３シンボルｓＴＴＩにおいて、最大２つまでのＨＡＲＱビット（すなわち、低ペイロードサイズ）についてサポートされ得る。この例では、ｓＴＴＩにおいてＤＭＲＳが存在しなくなり得る（there may be no DMRSs）ので、ｓＴＴＩの全てのシンボルが、ｓＰＵＣＣＨ送信のために使用され得る。さらに、この例では、ＵＥ１１５は、ｓＰＵＣＣＨ上でのアップリンク制御情報の送信のために、周波数ホッピングを使用するように構成され得る。別の例では、異なるｓＰＵＣＣＨフォーマットが、より大きいペイロードサイズ（例えば、２ビットより多い）についてサポートされ得る。いずれの例でも、ｓＴＴＩにおいてｓＰＵＣＣＨがまたがるシンボルの数は、ｓＴＴＩのインデックスまたはｓＴＴＩが割り振られているサービスのタイプ（例えば、低レイテンシサービス）に依存し得る。すなわち、ｓＴＴＩにおいてｓＰＵＣＣＨがまたがるシンボルの数は、ｓＴＴＩにおけるシンボルの数に依存するか、またはそれに対応し得る。
【００３６】
[0040]リソースエレメントは、１つのシンボル期間と１つのサブキャリア（例えば、１５ｋＨｚ周波数範囲）から構成され得る。いくつかの態様では、システム内で用いられるニューメロロジー（numerology）（すなわち、シンボルサイズ、サブキャリアサイズ、またはＴＴＩ持続時間）が、通信のタイプに基づいて選択または決定され得る。ニューメロロジーは、例えば、低レイテンシアプリケーションについてのレイテンシと、他のアプリケーションについての効率との間の固有のトレードオフを考慮して選択または決定され得る。したがって、ＭＢＢ通信ために割り振られたタイムスロットの持続時間は、低レイテンシ通信のために割り振られたタイムスロット（例えば、ミニスロット）の持続時間よりも長くなり得る。同様に、上述されたように、低レイテンシ通信ために割り振られたタイムスロットの持続時間（例えば、３シンボルｓＴＴＩ）は、低レイテンシ通信ために割り振られた他のタイムスロットの持続時間（例えば、２シンボルｓＴＴＩ）よりも長くなり得る。しかしながら、いくつかの態様では、ＵＥ１１５は、ＴＴＩの持続時間にかかわらず、同じ構成（例えば、送信電力構成）を使用して動作し得、これは、ワイヤレス通信システムに悪影響を及ぼし得る。
【００３７】
[0041]さらに、ワイヤレス通信システム１００では、ＵＥ１１５は、基地局１０５にＳＲＳを送信するように、基地局１０５によって構成され得る。ＳＲＳは、基地局１０５が、チャネル推定を実行することを可能にし得、これにより、基地局１０５は、アップリンク送信のためにＵＥ１１５にリソースを効率的に割り振ることが可能になり得る。いくつかの例では、基地局１０５は、サブフレームの最後のシンボル（または、サブフレームにおける最後のｓＴＴＩの最後のシンボル）中に、ＳＲＳ送信をスケジュールし得る。しかしながら、いくつかの態様では、ＵＥ１１５は、このシンボルがＳＲＳ送信のために割り振られているかどうかにかかわらず、同じ構成を使用して動作するように構成され得、これは、ワイヤレス通信システムにおいて非効率をもたらし得る。
【００３８】
[0042]ワイヤレス通信システム１００は、アップリンク通信のために割り振られたリソースに基づいて、アップリンク通信のためにＵＥ１１５を構成するための効率的な技法をサポートし得る。一例では、基地局１０５は、アップリンク送信ために割り振られたｓＴＴＩの長さに基づいて、アップリンク送信のための適切なアップリンク送信電力でＵＥ１１５を構成し得る。したがって、ＵＥは、送信についての過剰な電力の使用を回避しながら、アップリンク送信のために十分な電力を利用することによって、アップリンク信号（例えば、アップリンク制御情報）を確実に送信することが可能になり得る。別の例では、基地局１０５は、より多様なアップリンク送信を可能にするために、アップリンク送信のための周波数ホッピングパターンでＵＥ１１５を構成し得る。周波数ホッピングパターンは、アップリンク送信ために割り振られたｓＴＴＩにおけるシンボルが、別の送信のために割り振られているかどうかに依存し得る。
【００３９】
[0043]図２は、本開示の様々な態様による、ワイヤレス通信システム２００の例を例示する。ワイヤレス通信システム２００は、ワイヤレス通信システム１００の態様をインプリメントし得る。ワイヤレス通信システム２００は、基地局１０５−ａおよびＵＥ１１５−ａを含み、これらは、図１を参照して説明された対応するデバイスの例であり得る。基地局１０５−ａは、地理的カバレッジエリア１１０−ａ内の１つまたは複数のＵＥ１１５と通信状態にあり得る。例えば、基地局１０５−ａは、キャリア２０５のリソース上でＵＥ１１５−ａと通信状態にあり得る。
【００４０】
[0044]いくつかの態様では、基地局１０５−ａは、キャリア２０５のリソース上でアップリンク制御情報を送信するようにＵＥ１１５−ａを構成し得る。例えば、基地局１０５−ａは、サブフレーム２１０のｓＴＴＩ２１５中にアップリンク制御情報を送信するようにＵＥ１１５−ａを構成し得、ここで、各ｓＴＴＩ２１５は、いくつかのシンボル２２０にまたがる。図１を参照して説明されたように、サブフレーム２１０は、６つのｓＴＴＩ２１５を含み得るとともに、これらｓＴＴＩ２１５のうちの２つが、３つのシンボル２２０にまたがり、残りの４つのｓＴＴＩ２１５が、２つのシンボル２２０にまたがる。本明細書で説明されるように、ワイヤレス通信システム２００は、ｓＴＴＩ２１５の構造と、ｓＴＴＩ２１５内のシンボル２２０が他の送信（例えば、ＳＲＳ送信）のために割り振られているかどうかとに基づいて、各ｓＴＴＩ２１５中にアップリンク制御情報を送信するために、ＵＥ１１５−ａを適切に構成するための効率的な技法をサポートし得る。すなわち、ＵＥ１１５−ａは、アップリンク制御情報送信ために割り振られたｓＴＴＩの長さに基づいて、またはアップリンク制御情報送信のために割り振られたシンボルの数に基づいて、アップリンク制御情報送信のための送信電力構成を決定し得る。
【００４１】
[0045]図２の例では、基地局１０５−ａは、ＵＥ１１５−ａが基地局１０５−ａにアップリンク制御情報を送信するために使用すべき適切な送信電力構成を提供し得る。具体的には、ＵＥ１１５−ａは、（例えば、ｓＴＴＩが割り振られているサービスのタイプに基づくか、またはｓＴＴＩのインデックスに基づき得る）アップリンク送信ために割り振られたｓＴＴＩの長さに基づいて、制御情報のアップリンク送信のための送信電力を決定するように構成され得る。一例では、ＵＥ１１５−ａは、ｓＴＴＩの各シンボルにおいて制御情報を送信するために使用すべき送信電力を決定し得る。すなわち、ＵＥ１１５−ａは、ｓＴＴＩの長さにかかわらず、ｓＴＴＩの各シンボルにおいて制御情報を送信するために、同じ送信電力を使用し得る。これに対応して、ＵＥ１１５−ａは、３シンボルｓＴＴＩにおいて制御情報を送信するために、２シンボルｓＴＴＩよりも多くの電力を使用し得る。しかしながら、３シンボルｓＴＴＩのうちの１つのシンボルがＳＲＳ送信のために割り振られている場合、ＵＥ１１５−ａは、３シンボルｓＴＴＩにおいて制御情報を送信するために、２シンボルｓＴＴＩと同じ量の電力を使用し得る。
【００４２】
[0046]別の例では、ＵＥ１１５−ａは、ｓＴＴＩにおいて制御情報を送信するために使用すべき送信電力を決定し得る。いくつかの例では、ＵＥ１１５−ａは、２シンボルｓＴＴＩおよび３シンボルｓＴＴＩにおける制御情報のアップリンク送信のために、同じ送信電力を使用するように構成され得る。したがって、３シンボルｓＴＴＩのうちの１つのシンボルがＳＲＳ送信のために割り振られている場合、ＵＥ１１５−ａは、３シンボルｓＴＴＩの各シンボルおよび２シンボルｓＴＴＩの各シンボルにおいて制御情報を送信するために、同じ量の電力を使用し得る。しかしながら、３シンボルｓＴＴＩのいずれのシンボルも、ＳＲＳ送信のために割り振られていない場合、ＵＥ１１５−ａは、２シンボルｓＴＴＩの各シンボルにおいて制御情報を送信するために使用される電力と比較して、３シンボルｓＴＴＩの各シンボルにおいて制御情報を送信するためにより少ない電力を使用し得る。このような例では、（すなわち、同じ数のビットが、２シンボルｓＴＴＩおよび３シンボルｓＴＴＩにおいて送信されるとき）３シンボルｓＴＴＩにおけるアップリンク送信の１ビット当たりのエネルギーは、２シンボルｓＴＴＩにおける同様のアップリンク送信の１ビット当たりのエネルギーと同じになり得る。
【００４３】
[0047]いくつかのケースでは、基地局１０５−ａは、ｓＴＴＩにおけるシンボルがＳＲＳ送信のために割り振られているかどうかに依存して、異なる電力オフセットパラメータをシグナリングし得る。具体的には、基地局１０５−ａは、ｓＴＴＩのいずれのシンボルも、ＳＲＳ送信のために割り振られていない場合、第１の電力オフセットパラメータを送信し得、ここで、第１の電力オフセットパラメータは、ＵＥ１１５−ａがｓＴＴＩの各シンボルにおいて制御情報を送信するために使用すべき送信電力を示す。そして、基地局１０５−ａは、ｓＴＴＩの１つのシンボルがＳＲＳ送信のために割り振られている場合、第２の電力オフセットパラメータを送信し得、ここで、第２の電力オフセットパラメータは、ＵＥ１１５−ａがｓＴＴＩの各シンボルにおいて制御情報を送信するために使用すべき異なる送信電力を示す。
【００４４】
[0048]上記で説明された例は、３シンボルｓＴＴＩの３シンボルｓＰＵＣＣＨにおける制御情報のアップリンク送信についての適切な送信電力を決定するための技法を提供する。しかしながら、他の態様では（例えば、低レイテンシサービスの場合）、ＵＥ１１５−ａは、ｓＴＴＩの１シンボルｓＰＵＣＣＨにおいて制御情報を送信するようにスケジュールされ得る。したがって、一例では、ＵＥ１１５−ａは、２シンボルｓＰＵＣＣＨの各シンボルにおいて制御情報を送信するために使用されるものと同じ送信電力を使用して、１シンボルｓＰＵＣＣＨにおいて制御情報を送信し得る。別の例では、ＵＥ１１５−ａは、２シンボルｓＰＵＣＣＨの各シンボルにおいて制御情報を送信するために使用される送信電力と比較して、１シンボルｓＰＵＣＣＨにおいて制御情報を送信するために使用される送信電力を上昇させ得る。このような態様では、基地局１０５−ａは、１シンボルｓＰＵＣＣＨにおいて制御情報を送信するために使用すべき送信電力でＵＥ１１５−ａを構成するために、別個の電力オフセットパラメータを送信し得る（すなわち、１つより多くのシンボルにまたがるｓＰＵＣＣＨにおいて制御情報を送信するようにＵＥ１１５−ａを構成するために使用される電力オフセットパラメータとは別個である）。
【００４５】
[0049]図３は、本開示の様々な態様による、異なる周波数ホッピングパターンを使用する複数のアップリンク送信３００の例を例示する。示される例では、ＵＥ１１５は、複数のリソースブロック３０５上で、サブフレームの最後のｓＴＴＩ（すなわち、ｓＴＴＩ  ｎ＋５）中にアップリンク制御情報を送信する。例示されるように、ｓＴＴＩ  ｎ＋５は、３つのシンボル３１０を含み、したがって、３シンボルｓＴＴＩと称される。図３の例では、ＵＥ１１５は、３シンボルｓＴＴＩにおける１つのシンボル（a symbol）がＳＲＳ送信のために割り振られているかどうかに基づいて、異なる周波数ホッピング構成が提供されている。すなわち、ＵＥ１１５は、ｓＴＴＩの１つのシンボルがＳＲＳ送信のために割り振られているかどうかに基づいて、アップリンク制御情報を送信するための周波数ホッピングパターンを識別し得る。
【００４６】
[0050]アップリンク送信３００−ａでは、ＵＥ１１５は、第１の周波数ホッピングパターンに従って、ｓＴＴＩの３つのシンボル３１０−ａの全てにまたがるｓＰＵＣＣＨにおいて、アップリンク制御情報を送信する。この例では、ＵＥ１１５は、第１のシンボル中に、システム帯域幅の第１の周波数領域３１５−ａ上で制御情報を送信する。次いで、ＵＥ１１５は、第２のシンボルおよび第３のシンボル中に、システム帯域幅の第２の周波数領域３２０−ａ上で制御情報を送信する。ＵＥ１１５が、第１のシンボルにおいて１つの周波数領域上で、および、第２および第３のシンボルにおいて別の周波数領域上で送信するので、周波数ホッピングパターンは、｛１，２｝である。
【００４７】
[0051]アップリンク送信３００−ｂでは、ＵＥ１１５は、第２の周波数ホッピングパターンに従って、ｓＴＴＩの３つのシンボル３１０−ｂの全てにまたがるｓＰＵＣＣＨにおいて、アップリンク制御情報を送信する。この例では、ＵＥ１１５は、第１のシンボルおよび第２のシンボル中に、システム帯域幅の第１の周波数領域３１５−ｂ上で制御情報を送信する。次いで、ＵＥ１１５は、第３のシンボル中に、システム帯域幅の第２の周波数領域３２０−ｂ上で制御情報を送信する。ＵＥ１１５が、第１および第２のシンボルにおいて１つの周波数領域上で、および、第３のシンボルにおいて別の周波数領域上で送信するので、周波数ホッピングパターンは、｛２，１｝である。
【００４８】
[0052]アップリンク送信３００−ｃでは、ＵＥ１１５は、ｓＴＴＩの最後のシンボルがＳＲＳ送信のために割り振られているので、ｓＴＴＩの２つのシンボル３１０−ｃにまたがるｓＰＵＣＣＨにおいて、アップリンク制御情報を送信する。本明細書で説明されるように、ＵＥ１１５は、ｓＴＴＩの最後のシンボルがＳＲＳ送信のために割り振られていることを決定し得、ＵＥ１１５は、ｓＴＴＩの最後のシンボルがＳＲＳ送信のために割り振られていることに基づいて、周波数ホッピングパターンを識別し得る。したがって、ＵＥ１１５は、第１のシンボル中にシステム帯域幅の第１の周波数領域３１５−ｃ上で、および、第２のシンボル中にシステム帯域幅の第２の周波数領域３２０−ｃ上で、制御情報を送信する。ＵＥ１１５が、第１のシンボルにおいて１つの周波数領域上で、および、第２のシンボルにおいて別の周波数領域上で送信するので、周波数ホッピングパターンは、｛１，１｝である。いくつかのケースでは、｛１，１｝周波数ホッピングパターンは、｛１，２｝周波数ホッピングパターンに対応し得、ここで、ｓＴＴＩの最後のシンボルは、アップリンク送信のために使用されない。
【００４９】
[0053]図４は、本開示の様々な態様による、ワイヤレスデバイス４０５のブロック図４００を示す。ワイヤレスデバイス４０５は、本明細書で説明されたようなＵＥ１１５の態様の例であり得る。ワイヤレスデバイス４０５は、受信機４１０、通信マネージャ４１５、および送信機４２０を含み得る。ワイヤレスデバイス４０５はまた、プロセッサを含み得る。これらのコンポーネントの各々は、（例えば、１つまたは複数のバスを介して）互いと通信状態にあり得る。
【００５０】
[0054]受信機４１０は、様々な情報チャネル（例えば、制御情報送信のための送信電力および周波数ホッピングの構成に関連する情報、データチャネル、および制御チャネル、等）に関連付けられた制御情報、ユーザデータ、またはパケットなどの情報を受信し得る。情報は、デバイスの他のコンポーネントへと渡され得る。受信機４１０は、図６を参照して説明されるトランシーバ６３５の態様の例であり得る。受信機４１０は、単一のアンテナまたはアンテナのセットを利用し得る。
【００５１】
[0055]通信マネージャ４１５は、図６を参照して説明される通信マネージャ６１５の態様の例であり得る。通信マネージャ４１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、通信マネージャ４１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。
【００５２】
[0056]通信マネージャ４１５および／またはその様々なサブコンポーネントのうちの少なくともいくつかは、様々なポジションに物理的に位置し得、機能の部分が、１つまたは複数の物理的デバイスによって異なる物理的なロケーションにおいてインプリメントされるように分散されていることを含む。いくつかの例では、通信マネージャ４１５および／またはその様々なサブコンポーネントのうちの少なくともいくつかは、本開示の様々な態様による、別個のおよび異なるコンポーネントであり得る。他の例では、通信マネージャ４１５および／またはその様々なサブコンポーネントのうちの少なくともいくつかは、それに限定されるものではないが、Ｉ／Ｏコンポーネント、トランシーバ、ネットワークサーバ、別のコンピューティングデバイス、本開示で説明される１つまたは複数の他のコンポーネント、または本開示の様々な態様によるこれらの組合せを含む、１つまたは複数の他のハードウェアコンポーネントと組み合わされ得る。
【００５３】
[0057]通信マネージャ４１５は、アップリンク通信のために割り振られたＴＴＩの制御領域を識別し、アップリンク通信ために割り振られたＴＴＩの長さを決定し、ＴＴＩの長さに基づいて、ＴＴＩの制御領域でアップリンク制御情報を送信するための送信電力を調整し得る。通信マネージャ４１５はまた、アップリンク通信のために割り振られたＴＴＩの制御領域を識別し、ＴＴＩの一部分がＳＲＳ送信のために割り振られているかどうかに基づいて、ＴＴＩの制御領域でアップリンク制御情報を送信するための周波数ホッピングパターンを識別し、識別された周波数ホッピングパターンに基づいて、ＴＴＩの制御領域でアップリンク制御情報を送信し得る。
【００５４】
[0058]送信機４２０は、デバイスの他のコンポーネントによって生成される信号を送信し得る。いくつかの例では、送信機４２０は、トランシーバモジュールにおいて受信機４１０とコロケートされ得る。例えば、送信機４２０は、図６を参照して説明されるトランシーバ６３５の態様の例であり得る。送信機４２０は、単一のアンテナまたはアンテナのセットを利用し得る。いくつかの例では、送信機４２０は、調整された送信電力を使用して、ＴＴＩの制御領域でアップリンク制御情報を送信し得る。
【００５５】
[0059]図５は、本開示の様々な態様による、ワイヤレスデバイス５０５のブロック図５００を示す。ワイヤレスデバイス５０５は、図４を参照して説明されたような、ワイヤレスデバイス４０５またはＵＥ１１５の態様の例であり得る。ワイヤレスデバイス５０５は、受信機５１０、通信マネージャ５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【００５６】
[0060]受信機５１０は、様々な情報チャネル（例えば、制御情報送信のための送信電力および周波数ホッピングの構成に関連する情報、データチャネル、および制御チャネル、等）に関連付けられた制御情報、ユーザデータ、またはパケットなどの情報を受信し得る。情報は、デバイスの他のコンポーネントへと渡され得る。受信機５１０は、図６を参照して説明されるトランシーバ６３５の態様の例であり得る。受信機５１０は、単一のアンテナまたはアンテナのセットを利用し得る。
【００５７】
[0061]通信マネージャ５１５は、図６を参照して説明される通信マネージャ６１５の態様の例であり得る。通信マネージャ５１５は、制御領域識別器（control region identifier）５２５、ＴＴＩ長決定器（TTI length determiner）５３０、送信電力マネージャ５３５、ＳＲＳマネージャ５４０、および周波数ホッピングマネージャ５４５を含み得る。
【００５８】
[0062]制御領域識別器５２５は、アップリンク通信のために割り振られたＴＴＩの制御領域を識別し得る。いくつかの態様では、ＴＴＩは、３つの（３）シンボルを含む。いくつかの態様では、制御領域は、ＴＴＩの１つのシンボルにまたがる。いくつかの態様では、アップリンク通信ために割り振られたＴＴＩの長さは、ＴＴＩのインデックスまたはＴＴＩに関連付けられたサービスのタイプに基づいて決定される。ＴＴＩ長決定器５３０は、アップリンク通信ために割り振られたＴＴＩの長さを決定し得る。
【００５９】
[0063]送信電力マネージャ５３５は、ＴＴＩの長さに基づいて、ＴＴＩの制御領域でアップリンク制御情報を送信するための送信電力を調整し得る。いくつかの態様では、送信電力マネージャ５３５は、ＴＴＩの第１のシンボル中にアップリンク制御情報を送信するために第１の送信電力を使用し、ＴＴＩの第２のシンボル中にアップリンク制御情報を送信するために第２の送信電力を使用し得、ここで、第１の送信電力と第２の送信電力は、同じである。いくつかの態様では、送信電力マネージャ５３５は、ＴＴＩの各シンボル中にアップリンク制御情報を送信するための送信電力のインジケーションを受信し得、ここで、第１の送信電力および第２の送信電力は、インジケーションに基づいて調整される。いくつかの態様では、インジケーションは、電力オフセットパラメータを含む。
【００６０】
[0064]いくつかの態様では、送信電力マネージャ５３５は、ＴＴＩの第１のシンボル中にアップリンク制御情報を送信するために第１の送信電力を使用し、ＴＴＩの第２のシンボル中にアップリンク制御情報を送信するために第２の送信電力を使用し、ＴＴＩの第３のシンボル中にアップリンク制御情報を送信するために第３の送信電力を使用し得、ここで、第１の送信電力、第２の送信電力、および第３の送信電力の各々は、ＴＴＩ中にアップリンク制御情報を送信するための調整された送信電力の一部分（例えば、３分の１（１／３））を含む。いくつかの態様では、送信電力マネージャ５３５は、ＴＴＩの各シンボル中にアップリンク制御情報を送信するための送信電力のインジケーションを受信し得、ここで、第１の送信電力、第２の送信電力、および第３の送信電力は、インジケーションに基づいて調整される。いくつかの態様では、インジケーションは、電力オフセットパラメータを含む。
【００６１】
[0065]いくつかの態様では、調整された送信電力は、２つのシンボルを含むＴＴＩ中にアップリンク制御情報を送信するために使用されるものと同じ送信電力を含む。いくつかの態様では、送信電力を調整することは、ＴＴＩの各シンボル中にアップリンク制御情報を送信するために、同じ送信電力を使用することを含む。いくつかの態様では、調整された送信電力は、２つのシンボルを含むＴＴＩの各シンボル中にアップリンク制御情報を送信するために使用されるものと同じ送信電力である。いくつかの態様では、調整された送信電力は、２つのシンボルを含むＴＴＩの各シンボル中にアップリンク制御情報を送信するために使用される送信電力よりも大きい。いくつかの態様では、送信電力マネージャ５３５は、ＴＴＩ中にアップリンク制御情報を送信するための送信電力のインジケーションを受信し得、ここで、送信電力は、インジケーションに基づいて調整される。いくつかの態様では、インジケーションは、電力オフセットパラメータを含む。
【００６２】
[0066]ＳＲＳマネージャ５４０は、ＴＴＩの１つのシンボルがＳＲＳ送信のために割り振られていることを決定するか、またはＴＴＩのいずれのシンボルも、ＳＲＳ送信のために割り振られていないことを決定し得る。いくつかの態様では、ＳＲＳマネージャ５４０は、ＴＴＩの一部分がＳＲＳ送信のために割り振られているかどうかを決定し得る。いくつかの態様では、ＴＴＩの１つのシンボルが、ＳＲＳ送信のために割り振られ、ＴＴＩは、３つの（３）シンボルを含む。
【００６３】
[0067]周波数ホッピングマネージャ５４５は、ＴＴＩの一部分がＳＲＳ送信のために割り振られているかどうかに基づいて、ＴＴＩの制御領域でアップリンク制御情報を送信するための周波数ホッピングパターンを識別し得る。いくつかの態様では、周波数ホッピングマネージャ５４５は、識別された周波数ホッピングパターンに基づいて、ＴＴＩの制御領域でアップリンク制御情報を送信し得る。いくつかの態様では、識別された周波数ホッピングパターンに基づいてアップリンク制御情報を送信することは、ＴＴＩの第１のシンボル中に、システム帯域幅の第１の周波数領域上でアップリンク制御情報を送信することと、ＴＴＩの第２のシンボル中に、システム帯域幅の第２の周波数領域上でアップリンク制御情報を送信することと、を含む。
【００６４】
[0068]送信機５２０は、デバイスの他のコンポーネントによって生成された信号を送信し得る。いくつかの例では、送信機５２０は、トランシーバモジュールにおいて受信機５１０とコロケートされ得る。例えば、送信機５２０は、図６を参照して説明されるトランシーバ６３５の態様の例であり得る。送信機５２０は、単一のアンテナまたはアンテナのセットを利用し得る。
【００６５】
[0069]図６は、本開示の様々な態様による、デバイス６０５を含むシステム６００の図を示す。デバイス６０５は、例えば、図４および図５を参照して、上記で説明されたような、ワイヤレスデバイス４０５、ワイヤレスデバイス５０５、またはＵＥ１１５のコンポーネントを含むか、またはその例であり得る。デバイス６０５は、通信マネージャ６１５、プロセッサ６２０、メモリ６２５、ソフトウェア６３０、トランシーバ６３５、アンテナ６４０、およびＩ／Ｏコントローラ６４５を含む、通信を送信および受信するためのコンポーネントを含む双方向音声およびデータ通信のためのコンポーネントを含み得る。これらのコンポーネントは、１つまたは複数のバス（例えば、バス６１０）を介して電子通信状態にあり得る。デバイス６０５は、１つまたは複数の基地局１０５とワイヤレスに通信し得る。
【００６６】
[0070]プロセッサ６２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかの態様では、プロセッサ６２０は、メモリコントローラを使用してメモリアレイを動作させるように構成され得る。他の態様では、メモリコントローラは、プロセッサ６２０に一体化され得る。プロセッサ６２０は、様々な機能（例えば、制御情報送信のための送信電力および周波数ホッピングの構成をサポートする機能またはタスク）を実行するために、メモリに記憶されたコンピュータ可読命令を実行するように構成され得る。
【００６７】
[0071]メモリ６２５は、ランダムアクセスメモリ（ＲＡＭ）および読取専用メモリ（ＲＯＭ）を含み得る。メモリ６２５は、実行されると、プロセッサに、本明細書で説明された様々な機能を実行させる命令を含むコンピュータ可読で、コンピュータ実行可能なソフトウェア６３０を記憶し得る。いくつかの態様では、メモリ６２５は、特に、周辺コンポーネントまたはデバイスとのインタラクションなどの基本ハードウェアまたはソフトウェア動作を制御し得る基本入力／出力システム（ＢＩＯＳ）を含み得る。
【００６８】
[0072]ソフトウェア６３０は、制御情報送信のための送信電力および周波数ホッピングの構成をサポートするためのコードを含む、本開示の態様をインプリメントするためのコードを含み得る。ソフトウェア６３０は、システムメモリまたは他のメモリなどの、非一時的なコンピュータ可読媒体に記憶され得る。いくつかの態様では、ソフトウェア６３０は、プロセッサによって直接的に実行可能でない場合があるが、（例えば、コンパイルされ、実行されると）コンピュータに、本明細書で説明される機能を実行させ得る。
【００６９】
[0073]トランシーバ６３５は、上記で説明されたように、１つまたは複数のアンテナ、ワイヤード、またはワイヤレスリンクを介して、双方向に通信し得る。例えば、トランシーバ６３５は、ワイヤレストランシーバを表し得、別のワイヤレストランシーバと双方向に通信し得る。トランシーバ６３５はまた、パケットを変調して、変調されたパケットを送信のためにアンテナに提供することと、アンテナから受信されたパケットを復調することとを行うためのモデムを含み得る。
【００７０】
[0074]いくつかの態様では、ワイヤレスデバイスは、単一のアンテナ６４０を含み得る。しかしながら、いくつかの態様では、デバイスは、１つより多くのアンテナ６４０を有し得、それらは、複数のワイヤレス送信を同時並行（concurrently）に送信または受信することが可能であり得る。
【００７１】
[0075]Ｉ／Ｏコントローラ６４５は、デバイス６０５のための入力および出力信号を管理し得る。Ｉ／Ｏコントローラ６４５はまた、デバイス６０５に一体化されていない周辺機器を管理し得る。いくつかの態様では、Ｉ／Ｏコントローラ６４５は、外部周辺機器への物理的接続またはポートを表し得る。いくつかの態様では、Ｉ／Ｏコントローラ６４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他の態様では、Ｉ／Ｏコントローラ６４５は、モデム、キーボード、マウス、タッチスクリーン、または同様のデバイスを表すか、またはそれらとインタラクトし得る。いくつかの態様では、Ｉ／Ｏコントローラ６４５は、プロセッサの一部としてインプリメントされ得る。いくつかの態様では、ユーザは、Ｉ／Ｏコントローラ６４５を介して、またはＩ／Ｏコントローラ６４５によって制御されるハードウェアコンポーネントを介して、デバイス６０５とインタラクトし得る。
【００７２】
[0076]図７は、本開示の様々な態様による、方法７００を例示するフローチャートを示す。方法７００の動作は、本明細書で説明されたように、ＵＥ１１５またはそのコンポーネントによってインプリメントされ得る。例えば、方法７００の動作は、図４〜図６を参照して説明されたように、通信マネージャによって実行され得る。いくつかの例では、ＵＥ１１５は、以下で説明される機能を実行するために、デバイスの機能的な要素を制御するためのコードのセットを実行し得る。加えて、ＵＥ１１５は、専用ハードウェアを使用して、以下で説明される機能の態様を実行し得る。
【００７３】
[0077]ブロック７０５において、ＵＥ１１５は、アップリンク通信のために割り振られたＴＴＩの制御領域を識別し得る。ブロック７０５の動作は、本明細書で説明された方法に従って実行され得る。ある特定の例では、ブロック７０５の動作の態様は、図４〜図６を参照して説明されたように、制御領域識別器によって実行され得る。
【００７４】
[0078]ブロック７１０において、ＵＥ１１５は、アップリンク通信ために割り振られたＴＴＩの長さを決定し得る。ブロック７１０の動作は、本明細書で説明された方法に従って実行され得る。ある特定の例では、ブロック７１０の動作の態様は、図４〜図６を参照して説明されたように、ＴＴＩ長決定器によって実行され得る。
【００７５】
[0079]ブロック７１５において、ＵＥ１１５は、ＴＴＩの長さに少なくとも部分的に基づいて、ＴＴＩの制御領域でアップリンク制御情報を送信するための送信電力を調整し得る。ブロック７１５の動作は、本明細書で説明された方法に従って実行され得る。ある特定の例では、ブロック７１５の動作の態様は、図４〜図６を参照して説明されたように、送信電力マネージャによって実行され得る。
【００７６】
[0080]ブロック７２０において、ＵＥ１１５は、調整された送信電力を使用して、ＴＴＩの制御領域でアップリンク制御情報を送信し得る。ブロック７２０の動作は、本明細書で説明された方法に従って実行され得る。ある特定の例では、ブロック７２０の動作の態様は、図４〜図６を参照して説明されたように、送信機によって実行され得る。
【００７７】
[0081]図８は、本開示の様々な態様による、方法８００を例示するフローチャートを示す。方法８００の動作は、本明細書で説明されたように、ＵＥ１１５またはそのコンポーネントによってインプリメントされ得る。例えば、方法８００の動作は、図４〜図６を参照して説明されたように、通信マネージャによって実行され得る。いくつかの例では、ＵＥ１１５は、以下で説明される機能を実行するために、デバイスの機能的な要素を制御するためのコードのセットを実行し得る。加えて、ＵＥ１１５は、専用ハードウェアを使用して、以下で説明される機能の態様を実行し得る。
【００７８】
[0082]ブロック８０５において、ＵＥ１１５は、アップリンク通信のために割り振られたＴＴＩの制御領域を識別し得る。ブロック８０５の動作は、本明細書で説明された方法に従って実行され得る。ある特定の例では、ブロック８０５の動作の態様は、図４〜図６を参照して説明されたように、制御領域識別器によって実行され得る。
【００７９】
[0083]ブロック８１０において、ＵＥ１１５は、ＴＴＩの一部分がＳＲＳ送信のために割り振られているかどうかに少なくとも部分的に基づいて、ＴＴＩの制御領域でアップリンク制御情報を送信するための周波数ホッピングパターンを識別し得る。ブロック８１０の動作は、本明細書で説明された方法に従って実行され得る。ある特定の例では、ブロック８１０の動作の態様は、図４〜図６を参照して説明されたように、周波数ホッピングマネージャによって実行され得る。
【００８０】
[0084]ブロック８１５において、ＵＥ１１５は、識別された周波数ホッピングパターンに少なくとも部分的に基づいて、ＴＴＩの制御領域でアップリンク制御情報を送信し得る。ブロック８１５の動作は、本明細書で説明された方法に従って実行され得る。ある特定の例では、ブロック８１５の動作の態様は、図４〜図６を参照して説明されたように、周波数ホッピングマネージャによって実行され得る。
【００８１】
[0085]図９は、本開示の様々な態様による、方法９００を例示するフローチャートを示す。方法９００の動作は、本明細書で説明されたように、基地局１０５またはそのコンポーネントによってインプリメントされ得る。いくつかの例では、基地局１０５は、以下で説明される機能を実行するために、デバイスの機能的な要素を制御するためのコードのセットを実行し得る。加えて、基地局１０５は、専用ハードウェアを使用して、以下で説明される機能の態様を実行し得る。
【００８２】
[0086]ブロック９０５において、基地局１０５は、アップリンク通信のために割り振られたＴＴＩの制御領域を識別し得る。ブロック９１０において、基地局１０５は、アップリンク通信ために割り振られたＴＴＩの長さを決定し得る。ブロック９１５において、基地局１０５は、ＴＴＩの長さに少なくとも部分的に基づいて、ＴＴＩの制御領域でアップリンク制御情報を送信するＵＥ１１５についての送信電力調整を識別し得る。ブロック９２０において、基地局１０５は、ＵＥ１１５に送信電力調整のインジケーションを送信し得る。ブロック９２５において、基地局１０５は、インジケーションを送信することに少なくとも部分的に基づいて、ＴＴＩの制御領域でアップリンク制御情報を受信し得、ここで、アップリンク制御情報は、送信電力調整に少なくとも部分的に基づいて送信される。ブロック９０５、９１０、９１５、９２０、および９２５の動作は、本明細書で説明された方法に従って実行され得る。
【００８３】
[0087]図１０は、本開示の様々な態様による、方法１０００を例示するフローチャートを示す。方法１０００の動作は、本明細書で説明されたように、基地局１０５またはそのコンポーネントによってインプリメントされ得る。いくつかの例では、基地局１０５は、以下で説明される機能を実行するために、デバイスの機能的な要素を制御するためのコードのセットを実行し得る。加えて、基地局１０５は、専用ハードウェアを使用して、以下で説明される機能の態様を実行し得る。
【００８４】
[0088]ブロック１００５において、基地局１０５は、アップリンク通信のために割り振られたＴＴＩの制御領域を識別し得る。ブロック１０１０において、基地局１０５は、ＴＴＩの一部分がＳＲＳ送信のために割り振られているかどうかに少なくとも部分的に基づいて、ＴＴＩの制御領域でアップリンク制御情報を送信するＵＥについての周波数ホッピングパターンを識別し得る。ブロック１０１５において、基地局１０５は、ＵＥに周波数ホッピングパターンのインジケーションを送信し得る。ブロック１０２０において、基地局１０５は、インジケーションを送信することに少なくとも部分的に基づいて、ＴＴＩの制御領域でアップリンク制御情報を受信し得、ここで、アップリンク制御情報は、周波数ホッピングパターンに少なくとも部分的に基づいて送信される。ブロック１００５、１０１０、１０１５、１０２０、および１０２５の動作は、本明細書で説明された方法に従って実行され得る。
【００８５】
[0089]上記で説明された方法は、可能なインプリメンテーションを説明しており、これら動作は、再構成または他の方法で変更され得、他のインプリメンテーションも可能であることに留意されたい。さらに、これら方法のうちの２つ以上からの態様が組み合わされ得る。
【００８６】
[0090]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。「システム」および「ネットワーク」という用語は、しばしば交換可能に用いられる。符号分割多元接続（ＣＤＭＡ）システムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘ、等と呼ばれる。ＩＳ−８５６（ＴＩＡ−８５６）は、一般に、ＣＤＭＡ２０００  １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））などの無線技術をインプリメントし得る。
【００８７】
[0091]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭ、等のような無線技術をインプリメントし得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、上述されたシステムおよび無線技術、ならびに他のシステムおよび無線技術のために使用され得る。ＬＴＥまたはＮＲシステムの態様が、例を目的として説明され得、ＬＴＥまたはＮＲ用語が、説明の大部分において使用され得る一方で、本明細書で説明される技法は、ＬＴＥまたはＮＲアプリケーションを超えて適用可能である。
【００８８】
[0092]本明細書で説明されたこのようなネットワークを含む、ＬＴＥ／ＬＴＥ−Ａネットワークでは、発展型ノードＢ（ｅＮＢ）という用語は、一般に、基地局を説明するために使用され得る。本明細書で説明されたワイヤレス通信のシステムまたは複数のシステムは、異なるタイプのｅＮＢが様々な地理的領域に対するカバレッジを提供する異種ＬＴＥ／ＬＴＥ−ＡまたはＮＲネットワークを含み得る。例えば、各ｅＮＢ、次世代ノードＢ（ｇＮＢ）、または基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア、あるいはキャリアまたは基地局のカバレッジエリア（例えば、セクタ、等）を説明するために使用され得る。
【００８９】
[0093]基地局は、トランシーバ基地局（base transceiver station）、無線基地局、アクセスポイント、無線トランシーバ、ノードＢ、ｅノードＢ（ｅＮＢ）、ｇＮＢ、ホームノードＢ、ホームｅノードＢ、または何らかの他の好適な専門用語で当業者によって呼ばれ得るか、あるいはそれらを含み得る。基地局のための地理的カバレッジエリアは、カバレッジエリアの一部分のみを構成するセクタに分割され得る。本明細書で説明されたワイヤレス通信のシステムまたは複数のシステムは、異なるタイプの基地局（例えば、マクロまたはスモールセル基地局）を含み得る。本明細書で説明されたＵＥは、マクロｅＮＢ、スモールセルｅＮＢ、ｇＮＢ、中継基地局などを含む、様々なタイプの基地局およびネットワーク機器と通信することが可能であり得る。異なる技術についてのオーバーラップする地理的カバレッジエリアが存在し得る。
【００９０】
[0094]マクロセルは、一般に、比較的大きい地理的エリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス、等の）周波数帯域で動作し得る、マクロセルと比較してより低い電力の基地局である。スモールセルは、様々な例に従って、ピコセル、フェムトセル、およびマイクロセルを含み得る。ピコセルは、例えば、小さい地理的エリアをカバーし得、ネットワークプロバイダにサービス加入しているＵＥによる無制限のアクセスを可能にし得る。フェムトセルもまた、小さい地理的なエリア（例えば、自宅）をカバーし得、フェムトセルとのアソシエーションを有するＵＥ（例えば、限定加入者グループ（ＣＳＧ）中のＵＥ、自宅内のユーザのためのＵＥなど）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【００９１】
[0095]本明細書で説明されたワイヤレス通信のシステムまたは複数のシステムは、同期または非同期動作をサポートし得る。同期動作の場合、複数の基地局は、同様のフレームタイミングを有し得、異なる基地局からの送信は、ほぼ時間的に揃えられ得る。非同期動作の場合、複数の基地局は、異なるフレームタイミングを有し得、異なる基地局からの送信は、時間的に揃えられていない場合がある。本明細書で説明された技法は、同期または非同期動作のいずれかのために使用され得る。
【００９２】
[0096]本明細書で説明されたダウンリンク送信はまた、順方向リンク送信と呼ばれ得、一方、アップリンク送信はまた、逆方向リンク送信と呼ばれ得る。本明細書で説明された各通信リンク（例えば、図１および図２のワイヤレス通信システム１００および２００を含む）は、１つまたは複数のキャリアを含み得、ここで、各キャリアは、複数のサブキャリア（例えば、異なる周波数の波形信号）からなる信号であり得る。
【００９３】
[0097]添付の図面に関連して、本明細書に示された説明は、例となる構成を説明しており、インプリメントされ得るまたは特許請求の範囲内にある全ての例を表すものではない。本明細書で使用される「例示的（exemplary）」という用語は、「好ましい」または「他の例よりも有利である」ということではなく、「例、事例、または例示を提供する」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【００９４】
[0098]添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
【００９５】
[0099]本明細書で説明された情報および信号は、様々な異なる技術および技法のうちの任意のものを使用して表され得る。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【００９６】
[0100]本明細書の開示に関連して説明された、様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。
【００９７】
[0101]本明細書で説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付の特許請求の範囲および本開示の範囲内にある。例えば、ソフトウェアの性質により、上記で説明された機能は、プロセッサ、ハードウェア、ファームウェア、ハードワイヤリング、またはこれらの任意の組合せによって実行されるソフトウェアを使用してインプリメントされ得る。機能をインプリメントする特徴はまた、様々な位置に物理的に位置し得、機能の部分が異なる物理的なロケーションにおいてインプリメントされるように分散されていることを含む。また、特許請求の範囲を含め、本明細書で使用される場合、項目の列挙（例えば、「〜のうちの少なくとも１つ」または「〜のうちの１つまたは複数」といった表現で始まる項目の列挙）中で使用される「または（ｏｒ）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。また、本明細書で使用される場合、「〜に基づいて」という表現は、条件の閉集合への参照として解釈されないものとする。例えば、「条件Ａに基づいて」と説明された例示的な動作は、本開示の範囲から逸脱することなく、条件Ａと条件Ｂの両方に基づき得る。換言すれば、本明細書で使用される場合、「〜に基づいて」という表現は、「〜に少なくとも部分的に基づいて」という表現と同様に解釈されるものとする。
【００９８】
[0102]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされ得る任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の非一時的な媒体を備え得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【００９９】
[0103]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
【図１】
2020522168.tif 000003
【図２】
2020522168.tif 000004
【図３】
2020522168.tif 000005
【図４】
2020522168.tif 000006
【図５】
2020522168.tif 000007
【図６】
2020522168.tif 000008
【図７】
2020522168.tif 000009
【図８】
2020522168.tif 000010
【図９】
2020522168.tif 000011
【図１０】
2020522168.tif 000012
【国際調査報告】
2020522168.tif 000013
2020522168.tif 000014
2020522168.tif 000015
2020522168.tif 000016
2020522168.tif 000017